(57)【特許請求の範囲】
【請求項１】
空気を混入させた気泡混入水を吐出するシャワー装置であって、
水を供給するための給水部と、
前記給水部の下流側に設けられ、前記給水部よりも流路断面積を減少させ、通過する水を下流側に噴射するための絞り部と、
前記絞り部の下流側に設けられ、前記絞り部を通って噴射される水に空気を混入させて気泡混入水と成すための開口が形成されている空気混入部と、
前記空気混入部の下流側に設けられ、気泡混入水を吐出するための複数の散水孔が、前記絞り部から噴射される水の噴射方向に沿って形成されている散水部と、を備え、
前記複数の散水孔は、前記空気混入部側に設けられている上流側孔群と、前記上流側孔群よりも下流側に設けられている下流側孔群とに別れて形成されており、
前記散水部には、少なくとも前記上流側孔群に含まれる複数の散水孔の近傍に、前記空気混入部から供給される気泡混入水の一部のみを急激に減速させるための急減速手段が、前記複数の散水孔それぞれに個別に対応するように設けられ、
前記急減速手段は、前記空気混入部から供給される気泡混入水の一部の流れを堰き止め、その堰き止めた気泡混入水が、前記上流側孔群に含まれる散水孔に向かうように方向付けるものであることを特徴とするシャワー装置。
【請求項２】
前記急減速手段によって堰き止められる気泡混入水の水量よりも、前記急減速手段によって堰き止められない気泡混入水の水量の方が多くなるように構成されていることを特徴とする請求項１に記載のシャワー装置。
【請求項３】
前記上流側孔群に含まれる散水孔に設けられている前記急減速手段は、前記上流側孔群に含まれる他の散水孔に対して、前記絞り部側から見て干渉しないように配置されていることを特徴とする請求項２に記載のシャワー装置。
【請求項４】
前記急減速手段が設けられ前記上流側孔群に含まれる散水孔が、前記絞り部側から見て相対的に密に形成されている領域と、前記絞り部側からみて相対的に疎に形成されている領域とが形成されていることを特徴とする請求項３に記載のシャワー装置。
【請求項５】
前記下流側孔群に対応する前記急減速手段の数は、前記上流側孔群に対応する前記急減速手段の数よりも少ないことを特徴とする請求項２に記載のシャワー装置。
【請求項６】
前記急減速手段は、前記上流側孔群に含まれる複数の散水孔それぞれの外周に沿って、前記複数の散水孔それぞれに個別に設けられていることを特徴とする請求項２に記載のシャワー装置。
【請求項７】
前記急減速手段は、堰き止めて散水孔に方向付ける気泡混入水の近傍を通る気泡混入水が、渦を発生せずに後方に回り込むように形成されていることを特徴とする請求項２に記載のシャワー装置。
【請求項８】
前記急減速手段によって堰き止められる気泡混入水の瞬間水量と、その急減速手段が対応する散水孔から吐出される気泡混入水の瞬間水量とが略同等になるように構成されていることを特徴とする請求項２に記載のシャワー装置。
【発明の詳細な説明】
【技術分野】
【０００１】
本発明は、シャワー装置に関する。
【背景技術】
【０００２】
この技術分野において、いわゆるエジェクタ効果を利用して水に空気を混入させ、気泡混入水と成して吐出するシャワー装置が知られている。シャワー装置は、その装置内に流入した水を複数の散水孔に分散して吐水するものであるから、吐水に空気を混入させる場合には、装置内に流入した水に空気を混入させてから各散水孔に分散させるように構成されている。
【０００３】
このようなシャワー装置の一例として、下記特許文献１に記載されているようなシャワー装置が提案されている。下記特許文献１に記載されているシャワー装置は、円盤状のハウジングシェルの前面に複数の散水孔が設けられており、ハウジングシェルの後面の中央から流入させた水をそれら複数の散水孔に分配して吐出するものである。このシャワー装置では、ハウジングシェルに水が流入してから空気を混入させて気泡混入水とし、この気泡混入水を円盤状のハウジングシェルの前面全体に分布するように形成されている複数の散水孔に分配するものであるので、気泡混入水の進行方向に乱流発生拡張部を配置し、この乱流発生拡張部に気泡混入水を衝突させて方向を転換させ、気泡混入水をハウジングシェルの前面全体に行き渡るようにしている。
【０００４】
また、このようなシャワー装置の別な一例として、下記特許文献２に記載されているようなシャワー装置も提案されている。下記特許文献２に記載されているシャワー装置は、湯水混合栓等のコックを開くと、ホースから水が供給されてオリフィス部材内を水が通過する。このとき、オリフィス部材の下流側に設けられている減圧室においては減圧状態が形成されるので、この減圧室内に開口した内側吸引口から空気が吸引され、水と空気とが混合される。下記特許文献２に記載されているシャワー装置はこのようにして気泡混入水を生成し、シャワーヘッドに設けられた複数の散水孔から吐出するものである。このシャワー装置では、生成後の気泡混入水は、減圧室の下流側に設けられている区画管内のネジ部材や更にその下流側のシャワーヘッド内壁に当たって方向が転換されながら散水孔に向かっている。
【先行技術文献】
【特許文献】
【０００５】
【特許文献１】特表２００６−５０９６２９号公報
【特許文献２】特許第３７４７３２３号公報
【発明の概要】
【発明が解決しようとする課題】
【０００６】
ところで、水に空気を混入させ気泡混入水と成してシャワー吐水を行うにあたって、その気泡混入水が使用者に当たった際の使用感をどのように設定するかは、シャワーを浴びる使用者が感じる質感として重要なものである。上記特許文献２に記載のシャワー装置では、同文献の段落００１５に記載されているように、途切れ途切れに水が使用者に当たる感覚を実現するためのものである。この「途切れ途切れ」とは、不均一な粒径に粒化された水滴が使用者に当たることで、大きな粒径の水滴が当たれば強い水浴び感を使用者に与え、小さな粒径の水滴が当たれば弱い水浴び感を使用者に与えることになり、これら水浴び感の強弱を断続的に使用者に与えることができることを表現しているものと思われる。本発明者らの具体的な考察によれば、生成直後の気泡混入水は水に対して空気が略均一に混入されていると推察されるところ、生成後の気泡混入水がネジ部材やシャワーヘッド内壁に当たって方向が転換されることで気泡同士の衝突が発生し、散水孔に到達した段階では気泡径が不均一になっているものと考えられる。そして、このような気泡混入水を散水孔から吐出することで不均一な粒径の水滴となし、それら不均一な粒径の水滴を使用者に当てることで上述したような感覚を実現しているものと考えられる。
【０００７】
一方、上記特許文献１に記載のシャワー装置によって吐出される気泡混入水の性状については同文献に記載がないけれども、上記特許文献２に記載のシャワー装置同様に気泡径が不均一な気泡混入水を散水孔に供給し吐出することで不均一な粒径の水滴となし、それら不均一な粒径の水滴を使用者に当てているものと考えられる。上記特許文献１に記載のシャワー装置は、気泡混入水の進行方向に乱流発生拡張部を配置し、この乱流発生拡張部に気泡混入水を衝突させて方向を転換させていることからして、上記特許文献２に記載のシャワー装置と同様の不均一な気泡成長が起こっており、不均一な粒径の水滴を使用者に当てているものと考えられるからである。
【０００８】
本発明者らはこのような状況に対して、大粒の雨を浴びているような量感のある心地良い浴び心地のシャワー吐水を可能とするシャワー装置を提供しようと考えた。これに対して上述した従来の技術では、既述の通り不均一な粒径の水滴が使用者に当たる感覚を実現するものであるから、大粒の雨を浴びているような量感のある浴び心地のシャワー吐水を提供するものではなかった。
【０００９】
本発明者らはこの新しい浴び心地のシャワー吐水を提供するため、散水孔内及び散水孔から吐出された直後の気泡混入水の状態に着目した。散水孔内及び散水孔から吐出された直後の気泡混入水は、気体と液体という異なった２種類の流体が同一流路管内に混在・移動している気液二相流の状態にあるから、代表的な流動様式である気泡流・スラグ流・環状流のいずれかの流動様式で流動しているものと考えられる。これら流動様式はそれぞれ気泡の混在状態が異なることから、散水孔から吐出された後の粒化の状態は異なるものと考えられる。そこで本発明者らは、上述した従来の技術では、散水孔に供給される気泡混入水の気泡径が不均一であるため、これら気泡流・スラグ流・環状流が混在した状態で気泡混入水が吐出され、結果として不均一な粒径の水滴が使用者に当たる感覚となってしまっているのではないかと仮定し、散水孔に供給する気泡混入水の気泡径を均一なものとなるように制御することが必要だと考えた。
【００１０】
しかしながら、シャワー装置に水を供給する際には通常一つの供給口から供給するものであり、そのように一つの供給口から供給される水に対して空気を混入させて気泡混入水を生成するものである。これに対して、散水孔は多数設けられるものであるから、気泡混入水の進行方向を転換して各散水孔に分配する際に気泡混入水に刺激を与えることになってしまい、気泡を成長させずに各散水孔から吐出させることは極めて困難である。
【００１１】
本発明者らはこのような課題を解決し、気泡径を極力均一に保った気泡混入水を散水孔に供給することで、比較的大きく均一な粒径に粒化された水滴を連続して使用者に着水させ、使用者は大粒の雨を浴びているような量感のある浴び心地のシャワーを享受することができるシャワー装置を提供することを目的として本発明の基本構想に想到したものである。具体的には、絞り部から噴射される水の噴射方向に沿って散水部を形成することで、シャワーヘッド内壁に当たって気泡同士が衝突することなく散水部に形成された散水孔まで到達することを可能としている。このように散水孔まで気泡同士が衝突しないように気泡混入水を送ることで、気泡を成長させずに散水孔から吐出することができる。
【００１２】
このように本発明者らが想到したシャワー装置は、気泡径を極力均一に保った気泡混入水を散水孔に供給することで、比較的大きく均一な粒径に粒化された水滴を連続して使用者に着水させ、使用者は大粒の雨を浴びているような量感のある浴び心地のシャワーを享受することができるものである。具体的には、水を供給するための給水部と、前記給水部の下流側に設けられ、前記給水部よりも流路断面積を減少させ、通過する水を下流側に噴射するための絞り部と、前記絞り部の下流側に設けられ、前記絞り部を通って噴射される水に空気を混入させて気泡混入水と成すための開口が形成されている空気混入部と、前記空気混入部の下流側に設けられ、気泡混入水を吐出するための複数の散水孔が形成されている散水部とを備えるものである。
【００１３】
本発明者らは、このような構成を採用することで、散水部に形成されている複数の散水孔の中で空気混入部側に配置されている散水孔から水が吐出され難くなるという従来には無かった新たな課題を見出した。これに対して、空気混入部から散水孔までの距離を十分に確保し、気泡混入水を減速する手法も有効な手段である。しかしながら、散水部全体に散水孔を形成し、それぞれの散水孔から満遍なく気泡混入水を吐出するように構成したい場合もある。この場合には、空気混入部から散水孔までの距離を十分には確保することができず、気泡混入水が出難い散水孔が形成される恐れがある。
【００１４】
本発明はこのような課題に鑑みてなされたものであり、その目的は、気泡径を極力均一に保った気泡混入水を散水孔に供給することで、比較的大きく均一な粒径に粒化された水滴を連続して使用者に着水させ、使用者は大粒の雨を浴びているような量感のある浴び心地のシャワーを享受することができると共に、散水孔を散水部全体に満遍なく形成した場合であっても、全ての散水孔から安定して吐水することが可能なシャワー装置を提供することにある。
【課題を解決するための手段】
【００１５】
上記課題を解決するために本発明に係るシャワー装置は、空気を混入させた気泡混入水を吐出するシャワー装置であって、水を供給するための給水部と、前記給水部の下流側に設けられ、前記給水部よりも流路断面積を減少させ、通過する水を下流側に噴射するための絞り部と、前記絞り部の下流側に設けられ、前記絞り部を通って噴射される水に空気を混入させて気泡混入水と成すための開口が形成されている空気混入部と、前記空気混入部の下流側に設けられ、気泡混入水を吐出するための複数の散水孔が、前記絞り部から噴射される水の噴射方向に沿って形成されている散水部と、を備える。前記複数の散水孔は、前記空気混入部側に設けられている上流側孔群と、前記上流側孔群よりも下流側に設けられている下流側孔群とに別れて形成されている。前記散水部には、前記上流側孔群に含まれる複数の散水孔の近傍に、前記空気混入部から供給される気泡混入水の一部のみを急激に減速させるための急減速手段が、前記複数の散水孔それぞれに個別に対応するように設けられている。前記急減速手段は、前記空気混入部から供給される気泡混入水の一部の流れを堰き止め、その堰き止めた気泡混入水が、前記上流側孔群に含まれる散水孔に向かうように方向付けるものである。
【００１６】
本発明においては、給水部から供給される水が絞り部を通って空気混入部及び散水部に向けて噴射され、空気混入部及び散水部に一時的に貯留された水が散水部の複数の散水孔から外部へと吐出される。絞り部を通って噴射される水は、空気混入部に形成されている開口から取り込まれた空気を伴って、空気混入部及び散水部に一時的に貯留された水と空気との気液界面に突入することで気泡混入水となり、散水部の複数の散水孔から散水される。
【００１７】
絞り部を通って噴射された水が気液界面に突入して気泡混入水となる段階では、気泡混入水中の気泡は略均一な径となるように構成できるので、気泡混入水はその略均一な気泡径のまま散水孔が形成された位置まで到達することができる。このように略均一な気泡径の気泡を含む気泡混入水が散水孔に供給されると、散水孔内及び散水孔から吐出された直後において気泡流又はスラグ流を形成することができる。このように略均一な気泡径の気泡を含み気泡流又はスラグ流として形成される気泡混入水が散水孔から吐出されると、環状流のようにミスト化することなく、吐出方向と略直交する方向にせん断されて略均一に粒化される。従って、比較的大きく均一な粒径に粒化された水滴が連続して使用者に着水し、使用者は大粒の雨を浴びているような量感のある浴び心地のシャワーを享受することができる。
【００１８】
更に本発明では、絞り部を通って噴射された水が気液界面に突入することによって生成され、散水部側に進行する気泡混入水の一部を急減速手段で急激に減速するものとしている。具体的には、急減速手段は、上流側孔群に含まれる複数の散水孔の近傍に、複数の散水孔それぞれに個別に対応するように設けられている。急減速手段は、空気混入部から供給される気泡混入水の一部の流れを堰き止め、その堰き止めた気泡混入水が、上流側孔群に含まれる散水孔に向かうように方向付けるものである。このような急減速手段を個々の散水孔に対応させて設けることで、上流側孔群を絞り部の近くに設けた場合であっても、散水孔方向に進行する気泡混入水を確実に散水孔に導くことができる。
【００１９】
このように、急減速手段によって、空気混入部から供給される気泡混入水の一部の流れを堰き止めるので、空気混入部から供給される気泡混入水の残部の流れは堰き止めることなく、下流側へ流れる。従って、下流側に配置されている下流側孔群に含まれる散水孔に、流れが乱れていない気泡混入水を供給することができる。
【００２０】
また、急減速手段は、堰き止めた気泡混入水を上流側孔群に含まれる散水孔に向かうように方向付けるので、堰き止めた気泡混入水が急減速手段の外側に向かうことを確実に抑制している。そのため、急減速手段の近傍を通る気泡混入水の流れを乱すことなく、上流側孔群に含まれる散水孔に向かうべき気泡混入水を確実に誘導することができる。
【００２１】
また本発明に係るシャワー装置では、前記急減速手段によって堰き止められる気泡混入水の水量よりも、前記急減速手段によって堰き止められない気泡混入水の水量の方が多くなるように構成されていることも好ましい。
【００２２】
この好ましい態様では、下流側に設けられている下流側孔群側に、急減速手段によって堰き止められない気泡混入水を多く供給することができる。従って、下流側孔群に含まれる散水孔から吐出される気泡混入水の供給不足を引き起こすことなく、上流側孔群に含まれる散水孔からも下流側孔群に含まれる散水孔からも均一な気泡径の気泡混入水を吐出することができる。
【００２３】
また本発明に係るシャワー装置では、前記上流側孔群に含まれる散水孔に設けられている前記急減速手段は、前記上流側孔群に含まれる他の散水孔に対して、前記絞り部側から見て干渉しないように配置されていることも好ましい。
【００２４】
本発明において上流側孔群は絞り部に近い上流側に形成されているため、上流側孔群を通過する気泡混入水は高い流速の水流となっている。そのため、各散水孔に対応させて急減速手段を設けることで、気泡混入水を各散水孔に確実に供給するものとしている。この好ましい態様では、急減速手段を、上流側孔群に含まれる他の散水孔に対して、絞り部側から見て干渉しないように配置することで、高い流速の水流が急減速手段を通過してその後方に回り込まない場合であっても、急減速手段を通過した水流をその急減速手段と干渉しないように設けている散水孔に供給する。従って、均一な気泡径の気泡混入水を吐出することができる。
【００２５】
また本発明に係るシャワー装置では、前記急減速手段が設けられ前記上流側孔群に含まれる散水孔が、前記絞り部側から見て相対的に密に形成されている領域と、前記絞り部側からみて相対的に疎に形成されている領域とが形成されていることも好ましい。
【００２６】
上述したように本発明では、上流側孔群に設けられている急減速手段が上流側孔群における下流側の散水孔と干渉しないように構成することで、急減速手段近傍を通過した気泡混入水を下流側の散水孔に供給するようにしている。更にこの好ましい態様では、上流側孔群において、急減速手段が設けられた散水孔が形成された領域を疎密に配置している。急減速手段が設けられた散水孔が密に形成された領域では、その領域を通過する気泡混入水の多くは急減速手段によってその領域の散水孔に導かれる。一方、急減速手段が設けられた散水孔が疎に形成された領域では、その領域を通過する気泡混入水は急減速手段の影響を受けずに下流側孔群へと到達する。下流側孔群に到達した気泡混入水は減速されているので、下流側孔群において拡散充満し、均一な気泡径の気泡混入水として下流側孔群に含まれる散水孔から吐出される。
【００２７】
また本発明に係るシャワー装置では、前記下流側孔群に対応する前記急減速手段の数は、前記上流側孔群に対応する前記急減速手段の数よりも少ないことも好ましい。
【００２８】
上述したように本発明においては、上流側孔群は絞り部に近い上流側に形成されているため、上流側孔群を通過する気泡混入水は高い流速の水流となっている。しかしながら、上流側孔群を通過する過程において、気泡混入水の流速は徐々に低下する。また、下流側孔群を通過する過程においては、更に気泡混入水の流速が低下する。そこでこの好ましい態様では、下流側孔群に対応する急減速手段の数は、上流側孔群に対応する急減速手段の数よりも少ないように構成することで、過度な減速による気泡衝突を確実に回避している。従って、上流側孔群及び下流側孔群に含まれる全ての散水孔から、均一な気泡径の気泡混入水を吐出することができる。
【００２９】
また本発明に係るシャワー装置では、前記急減速手段は、前記上流側孔群に含まれる複数の散水孔それぞれの外周に沿って、前記複数の散水孔それぞれに個別に設けられていることも好ましい。
【００３０】
この好ましい態様では、急減速手段を散水孔それぞれの外周にそって個別に設けることで、急減速手段と散水孔との間に気泡混入水の吐出を阻害するような壁面の形成を回避することができる。従って、急減速手段によって堰き止められ散水穴に方向付けられた気泡混入水が、急減速手段と散水孔との間に滞留することなく、直ちに散水孔から吐出される。
【００３１】
また本発明に係るシャワー装置では、前記急減速手段は、堰き止めて散水孔に方向付ける気泡混入水の近傍を通る気泡混入水が、渦を発生せずに後方に回り込むように形成されていることも好ましい。
【００３２】
この好ましい態様では、急減速手段によって堰き止められる気泡混入水の近傍を通って下流側に流れる気泡混入水に渦を発生させないように構成しているので、下流側に流れる気泡混入水も上流側を流れる気泡混入水と同様に、流れが乱れることなく散水孔に到達する。従って、上流側孔群に含まれる散水孔からも下流側孔群に含まれる散水孔からも均一な気泡径の気泡混入水を吐出することができる。
【００３３】
また本発明に係るシャワー装置では、前記急減速手段によって堰き止められる気泡混入水の瞬間水量と、その急減速手段が対応する散水孔から吐出される気泡混入水の瞬間水量とが略同等になるように構成されていることも好ましい。
【００３４】
この好ましい態様では、急減速手段によって堰き止められる気泡混入水の瞬間水量と、散水孔から吐出される気泡混入水とが略同等となるように構成されているので、急減速手段によって堰き止められる気泡混入水は滞留することなく順次散水孔から吐出される。従って、上流側孔群に含まれる散水孔から均一な気方径の気泡混入水を吐出することができる。
【発明の効果】
【００３５】
本発明によれば、気泡径を極力均一に保った気泡混入水を散水孔に供給することで、比較的大きく均一な粒径に粒化された水滴を連続して使用者に着水させ、使用者は大粒の雨を浴びているような量感のある浴び心地のシャワーを享受することができると共に、散水孔を散水部全体に満遍なく形成した場合であっても、全ての散水孔から安定して吐水することが可能なシャワー装置を提供することができる。
【図面の簡単な説明】
【００３６】
【図１】本願発明の実施形態に係るシャワー装置を示す図であって、（Ａ）は平面図を示し、（Ｂ）は側面図を示し、（Ｃ）は下面図を示している。
【図２】図１の（Ａ）におけるＦ−Ｆ断面を示す断面図である。
【図３】図２に示す水噴射コマを示す図であって、（Ａ）は平面図を示し、（Ｂ）は側面図を示し、（Ｃ）は下面図を示している。
【図４】図３の（Ｂ）におけるＧ−Ｇ断面を示す断面図である。
【図５】図３の（Ｂ）におけるＨ−Ｈ断面を示す断面図である。
【図６】散水孔の配置態様を説明するための概要図である。
【図７】散水孔と急減速壁との配置関係を示す図である。
【図８】散水孔と急減速壁との配置関係の別例を示す図である。
【図９】散水孔と急減速壁との配置関係の別例を示す図である。
【発明を実施するための形態】
【００３７】
以下、添付図面を参照しながら本発明の実施の形態について説明する。説明の理解を容易にするため、各図面において同一の構成要素に対しては可能な限り同一の符号を付して、重複する説明は省略する。
【００３８】
本発明の実施形態であるシャワー装置について図１を参照しながら説明する。図１は、本発明の実施形態に係るシャワー装置Ｆ３を示す図であって、図１の（Ａ）は平面図を示し、図１の（Ｂ）は側面図を示し、図１の（Ｃ）は下面図を示している。図１の（Ａ）に示すように、シャワー装置Ｆ３は主に略円盤状を成す本体４によって構成されており、シャワー装置Ｆ３（本体４）の上面４ａには給水口４１ｄが形成されている。
【００３９】
図１の（Ｂ）に示すように、シャワー装置Ｆ３の本体４は、給水口４１ｄが形成されているキャビティ４Ａと、散水孔４４３が形成されているシャワープレート４Ｂとによってその外形が構成されている。図１の（Ｃ）に示すように、本体４の下面４ｂには複数の散水孔４４３が形成されていると共に、開口４３１も形成されている。本実施形態の場合、散水孔４４３は開口４３１を中心とした放射状に６６個形成されている。
【００４０】
本実施形態のシャワー装置Ｆ３は、このような構成により、給水口４１ｄに図示しない給水管が繋がれ、その給水管から給水口４１ｄに水が供給されると、散水孔４４３から吐水するように構成されている。
【００４１】
続いて、図１の（Ａ）のＦ−Ｆ断面図である図２を参照しながらシャワー装置Ｆ３について説明を加える。図２に示すように、シャワー装置Ｆ３は、キャビティ４Ａと、シャワープレート４Ｂと、コマ押えプレート４Ｃと、水噴射コマ４Ｄと、空気導入コマ４Ｅとによって構成されている。
【００４２】
キャビティ４Ａは、シャワープレート４Ｂと共に本体４の外形を形成する部材であって、本体４の上面４ａとは反対側の当接面４Ａａから上面４ａに向けて円形の凹部４Ａｂが形成されている。凹部４Ａｂには、円盤状のコマ押えプレート４Ｃが収められている。コマ押えプレート４Ｃには、水噴射コマ４Ｄを挿通するための貫通穴４Ｃａが形成されている。貫通穴４Ｃａは段付穴であって、その段部とキャビティ４Ａの凹部４Ａｂの底面との間で水噴射コマ４Ｄのフランジ４Ｄａを保持している。
【００４３】
続いて、水噴射コマ４Ｄについて図３，４，５を参照しながら説明する。図３は水噴射コマ４Ｄの三面図であって、図３の（Ａ）は平面図を示し、図３の（Ｂ）は側面図を示し、図３の（Ｃ）は下面図を示している。図４は、図３の（Ｂ）のＧ−Ｇ断面図である。図５は、図３の（Ｂ）のＨ−Ｈ断面図である。
【００４４】
図３及び図５に示すように、水噴射コマ４Ｄは、フランジ４Ｄａをツバとする帽子形状を成しており、その帽子形状の頂部に相当するフランジ４Ｄａとは反対側の端部に噴射突起部４Ｄｂが形成されている。図３及び図４に示すように、噴射突起部４Ｄｂには、その外周の全周に渡って、フランジ４Ｄａが沿う面に平行に放射状に形成される貫通孔が設けられており、この貫通孔が絞り流路４２１となるように構成されている。水噴射コマ４Ｄには、フランジ４Ｄａから絞り流路４２１に至るように空洞４Ｄｃが形成されている。このように水噴射コマ４Ｄを構成することで、空洞４Ｄｃから絞り流路４２１に至る経路を含む絞り部４２が形成されている。
【００４５】
図２に戻って説明を続ける。キャビティ４Ａの中心近傍には、上面４ａから凹部４Ａｂに至る貫通穴４Ａｃが形成されている。貫通穴４Ａｃは、水噴射コマ４Ｄの空洞４Ｄｃに連通するように設けられている。このように貫通穴４Ａｃを設けることで、給水口４１ｄから絞り部４２に至る給水部４１が形成されている。
【００４６】
シャワープレート４Ｂは、キャビティ４Ａと共に本体４の外形を形成する部材であって、散水孔４４３が放射状に複数個形成されている。本実施形態の場合、散水孔４４３は、同心円状に４列に分けて形成されている。最も絞り部４２側（中央側）には、最前列の第１列として複数の散水孔４４３ａが形成されている。散水孔４４３ａの外側には、第２列として複数の散水孔４４３ｂが形成されている。散水孔４４３ｂの外側には、第３列として複数の散水孔４４３ｃが形成されている。散水孔４４３ｃの外側には、第４列として複数の散水孔４４３ｄが形成されている。
【００４７】
第一列の散水孔４４３ａの近傍には、散水孔４４３ａに気泡混入水を導くための急減速壁４４４ａ（急減速手段）が設けられている。第二列の散水孔４４３ｂの近傍にも、散水孔４４３ｂに気泡混入水を導くための急減速壁４４４ｂ（急減速手段）が設けられている。急減速壁４４４ａ，４４４ｂは、散水部４４の側壁４４ｃから側壁４４ｂ側に延びるように設けられている。急減速壁４４４ａ，４４４ｂは、絞り部４２から噴射される水の噴射水仮想直線ＢＷ４と干渉する高さまで形成されていれば足りるので、本実施形態の場合は側壁４４ｂとの間に隙間が形成される高さまで形成されている。
【００４８】
これらの散水孔４４３（散水孔４４３ａ，４４３ｂ，４４３ｃ，４４３ｄ）が形成されている領域の下面４ｂとは反対側の当接面４Ｂａは散水部４４の側壁４４ｃとなるように構成されている。シャワープレート４Ｂの当接面４Ｂａとキャビティ４Ａの当接面４Ａａとを当接させると、キャビティ４Ａの凹部４Ａｂに収められているコマ押えプレート４Ｃとの間には空隙が形成され、この空隙が空気混入部４３及び散水部４４となるように構成されている。
【００４９】
コマ押えプレート４Ｃのシャワープレート４Ｂに対向する面は、空気混入部４３の側壁４３ｂ及び散水部４４の側壁４４ｂとなるように構成されている。キャビティ４Ａの凹部４Ａｂに収められているコマ押えプレート４Ｃとの間の空隙を構成する凹部４Ａｂの一部分は散水部４４の側壁４４ａとなるように構成されている。
【００５０】
シャワープレート４Ｂにおいて、本体４の下面４ｂとは反対側の当接面４Ｂａから下面４ｂに向けて円形の凹部４Ｂｃが形成されている。凹部４Ｂｃは、放射状に設けられた散水孔４４３の内側に位置するように、シャワープレート４Ｂの中央に設けられている。凹部４Ｂｃの底面から下面４ｂに至るように貫通穴４Ｂｂが形成されている。凹部４Ｂｃには、空気導入コマ４Ｅが収められている。
【００５１】
空気導入コマ４Ｅは略円盤状の部材であって、その中央部分には段付の貫通穴４Ｅａが形成されている。空気導入コマ４Ｅの一方の面は平坦な円形面であって凹部４Ｂｃの底面に当接している。空気導入コマ４Ｅの他方の面には平坦な円形面とその円形面の周囲を角取りするように設けられている傾斜面が形成されている。この平坦な円形面が空気混入部４３の側壁４３ｄを構成し、傾斜面が空気混入部４３の段差部４３ｇを構成している。
【００５２】
貫通穴４Ｅａの開口面積が広くなっている方の開口端からは水噴射コマ４Ｄの噴射突起部４Ｄｂの先端のみが挿入されており、噴射突起部４Ｄｂに設けられている絞り流路４２１から噴射される水は空気導入コマ４Ｅの側壁４３ｄと干渉しないように配置されている。空気導入コマ４Ｅの貫通穴４Ｅａと水噴射コマ４Ｄとの間には隙間が形成されており、この隙間から貫通穴４Ｂｂに至る部分が空気を導入するための開口４３１を構成している。
【００５３】
上述したようにキャビティ４Ａと、シャワープレート４Ｂと、コマ押えプレート４Ｃと、水噴射コマ４Ｄと、空気導入コマ４Ｅとを組み上げることで、シャワー装置Ｆ３は、給水部４１と、絞り部４２と、空気混入部４３と、散水部４４とを備えるように構成される。
【００５４】
給水部４１は、水を供給するための部分であって、給水口４１ｄから導入した水を絞り部４２へと供給する部分である。給水口４１ｄには図示しない給水手段（給水ホース等）が接続可能であって、その給水手段から供給される水が給水部４１から絞り部４２へと供給される。
【００５５】
絞り部４２は、給水部４１の下流側に設けられており、給水部４１よりも流路断面積を減少させ、通過する水を下流側に噴射するための部分である。絞り部４２には、複数の絞り流路４２１が設けられている。
【００５６】
空気混入部４３は、絞り部４２の下流側に設けられており、絞り部４２を通って噴射される水に空気を混入させて気泡混入水と成すための開口４３１が形成されている部分である。
【００５７】
散水部４４は、空気混入部４３の下流側に設けられており、気泡混入水を吐出するための複数の散水孔４４３が形成されている部分である。
【００５８】
このように本発明の実施形態に係るシャワー装置Ｆ３は、水を供給するための給水部４１と、給水部４１の下流側に設けられ、給水部４１よりも流路断面積を減少させ、通過する水を下流側に噴射するための絞り部４２と、絞り部４２の下流側に設けられ、絞り部４２を通って噴射される水に空気を混入させて気泡混入水と成すための開口４３１が形成されている空気混入部４３と、空気混入部４３の下流側に設けられ、気泡混入水を吐出するための複数の散水孔４４３が形成されている散水部４４と、を備える。
【００５９】
絞り部４２から噴射される水の噴射方向を延伸させた噴射水仮想直線ＢＷ４が、空気混入部４３及び散水部４４を構成する内壁（側壁４３ｂ，４３ｄ、段差部４３ｇ、側壁４４ｂ，４４ｃ）と干渉することなく散水孔４４３ａ〜４４３ｄが形成された位置まで到達するように構成されている。すなわち、絞り部４２から噴射される水は散水孔が形成された散水面に沿って噴射されており、気泡混入水はその流れが乱されることなく散水孔４４３ａ，４４３ｂ，４４３ｃ，４４３ｄから順次吐出されていく。
【００６０】
本実施形態に係るシャワー装置Ｆ３では、絞り部４２が、複数の絞り流路４２１が放射状に配置されることで構成されており、複数の絞り流路４２１それぞれから噴射される水の噴射方向を延伸させた複数の噴射水仮想直線ＢＷ４は、急減速壁４４４ａ，４４４ｂと干渉するものを除き、空気混入部４３及び散水部４４を構成する内壁（側壁４３ｂ，４３ｄ、段差部４３ｇ、側壁４４ｂ，４４ｃ）と干渉することなく散水孔４４３が形成された位置まで到達するように構成されている。
【００６１】
このように構成することで、絞り部４２から噴射される水は空気混入部４３及び散水部４４を構成する内壁によってはその流れが乱されることなく散水孔４４３ａ〜４４３ｄが形成された位置まで到達する。従って、比較的大きく均一な粒径に粒化された水滴が連続して使用者に着水し、使用者は大粒の雨を浴びているような量感のある浴び心地のシャワーを享受することができるように構成している。
【００６２】
更に、絞り部４２を構成する複数の絞り流路４２１を放射状に配置しているので、複数の絞り流路４２１から噴射される水の流路の断面積が拡張していくように構成することができる。従って、複数の絞り流路４２１から噴射される水が気液界面に突入することによって生じる水流同士の干渉が起こり難く、均一な気泡径の気泡を含む気泡混入水を散水孔に供給することができる。また、流路断面積が拡張することにより、気液界面に突入した水を適度に減速することができ、全ての散水孔４４３ａ〜４４３ｄから確実に吐水させることができる。
【００６３】
更に本実施形態では、特に絞り部４２の近くに設けられた散水孔４４３ａ，４４３ｂから確実に気泡混入水を吐出するために、急減速壁４４４ａ，４４４ｂを設けている。散水孔４４３ａ〜４４３ｄの配置態様及び急減速壁４４４ａ，４４４ｂの配置態様について、図６を参照しながら説明する。図６は、散水孔４４３ａ〜４４３ｄの配置態様及び急減速壁４４４ａ，４４４ｂの配置態様を説明するための概要図である。
【００６４】
図６に示すように、散水孔４４３ａ〜４４３ｄは、絞り部４２を中心とした同心円上に並べて配置されている。具体的には、最も絞り部４２に近い内側の配置円Ｌ１上には、散水孔４４３ａが４個配置されている。散水孔４４３ａの近傍には、急減速壁４４４ａが配置されている。急減速壁４４４ａは、絞り部４２から見て散水孔４４３ａと反対側（下流側）に設けられている。
【００６５】
配置円Ｌ１の外側の配置円Ｌ２上には、散水孔４４３ｂが８個配置されている。散水孔４４３ｂの近傍には、急減速壁４４４ｂが配置されている。急減速壁４４４ｂは、絞り部４２から見て散水孔４４３ｂと反対側（下流側）に設けられている。
【００６６】
配置円Ｌ２の外側の配置円Ｌ３上には、散水孔４４３ｃが配置されている。また、配置円Ｌ３の外側の配置円Ｌ４上には、散水孔４４３ｄが配置されている。散水孔４４３ｃ，４４３ｄが配置されている領域では、気泡混入水の進行速度が遅くなっているので、急減速壁４４４ａ，４４４ｂに想到する急減速手段は設けられていない。
【００６７】
本実施形態では、配置円Ｌ１及び配置円Ｌ２上にそれぞれ配置されている散水孔４４３ａ及び散水孔４４３ｂによって形成される群を上流側孔群とし、配置円Ｌ３及び配置円Ｌ４上にそれぞれ配置されている散水孔４４３ｃ及び散水孔４４３ｄによって形成される群を下流側孔群とする。
【００６８】
配置円Ｌ１及び配置円Ｌ２上に配置されている散水孔４４３ａ及び散水孔４４３ｂの近傍には、急減速壁４４４ａ及び急減速壁４４４ｂが配置されている。急減速壁４４４ａ，４４４ｂによって、絞り部４２から噴射された水によって形成され、勢い良く外側に向う気泡混入水が減速され且つ散水孔４４３ａ，４４３ｂに向けて方向付けられる。急減速壁４４４ａ，４４４ｂは、散水孔４４３ａ，４４３ｂの近傍にのみ設けられているものであるから、下流側の散水孔４４３ｃ，４４３ｄに向う気泡混入水に影響を与えることなく、確実に散水孔４４３ａ，４４３ｂに向う水流を形成できる。
【００６９】
散水孔４４３ａ及び散水孔４４３ｂは、絞り部４２側から見て互い違いに配置されている。具体的には、絞り部４２側から見て、一対の散水孔４４３ｂ，４４３ｂの間に散水孔４４３ａが配置されている。本実施形態の場合、散水孔４４３ａを間に挟んでいる一対の散水孔４４３ｂ，４４３ｂと、これに隣接し、同様に散水孔４４３ａを間に挟んでいる一対の散水孔４４３ｂ，４４３ｂとの間には散水孔４４３ａが形成されていない。
【００７０】
換言すれば、絞り部４２から散水孔４４３ｂに向う噴射水仮想直線ＢＷ６と、絞り部４２から散水孔４４３ａに向う噴射水仮想直線ＢＷ５との間には次の関係がある。噴射水仮想直線ＢＷ５は、一対の噴射水仮想直線ＢＷ６，ＢＷ６の間を通るように構成されている。噴射水仮想直線ＢＷ５と一対の噴射水仮想直線ＢＷ６，ＢＷ６とを含む領域は、本実施形態の場合４つ形成されている。この噴射水仮想直線ＢＷ５と一対の噴射水仮想直線ＢＷ６，ＢＷ６とを含む領域と、隣接する噴射水仮想直線ＢＷ５と一対の噴射水仮想直線ＢＷ６，ＢＷ６とを含む領域との間には、散水孔４４３ａは形成されておらず、噴射水仮想直線ＢＷ５も通っていない。
【００７１】
このように本実施形態に係るシャワー装置Ｆ３では、上流側孔群の最も上流側の散水孔４４３ａに設けられている急減速壁４４４ａは、上流側孔群に含まれる他の散水孔４４３ｂに対して、絞り部４２側から見て干渉しないように配置されている。
【００７２】
本実施形態において上流側孔群は絞り部４２に近い上流側に形成されているため、上流側孔群を通過する気泡混入水は高い流速の水流となっている。そのため、各散水孔４４３ａ，４４３ｂに対応させて急減速壁４４４ａ，４４４ｂを設けることで、気泡混入水を各散水孔４４３ａ，４４３ｂに確実に供給するものとしている。そこで、急減速壁４４４ａを、上流側孔群に含まれる他の散水孔４４３ｂに対して、絞り部４２側から見て干渉しないように配置することで、高い流速の水流が最前列の急減速壁４４４ａを通過してその後方に回り込まない場合であっても、急減速壁４４４ａの横を通過した水流をその急減速壁４４４ａと干渉しないように設けている散水孔４４３ｂに確実に供給する。
【００７３】
また上述したように、急減速壁４４４ａ，４４４ｂが設けられ上流側孔群に含まれる散水孔４４３ａ，４４３ｂが、絞り部４２側から見て相対的に密に形成されている領域と、絞り部４２側からみて相対的に疎に形成されている領域とが交互に形成されている。具体的には、絞り部４２側から見て、散水孔４４３ａとそれを間に挟む一対の散水孔４４３ｂ，４４３ｂとを含む密な領域の間には、散水孔も急減速壁も形成されていない疎な領域が形成されている。
【００７４】
急減速壁４４４ａ，４４４ｂが設けられた散水孔４４３ａ，４４３ｂが密に形成された領域では、その領域を通過する気泡混入水の多くは急減速壁４４４ａ，４４４ｂによってその領域の散水孔４４３ａ，４４３ｂに導かれる。一方、急減速壁４４４ａ，４４４ｂが設けられた散水孔４４３ａ，４４３ｂが疎に形成された領域では、その領域を通過する気泡混入水は急減速壁４４４ａ，４４４ｂの影響を受けずに下流側孔群である散水孔４４３ｃ，４４３ｄへと到達する。下流側孔群である散水孔４４３ｃ，４４３ｄに到達した気泡混入水は減速されているので、下流側孔群が形成されている領域において拡散充満し、均一な気泡径の気泡混入水として下流側孔群に含まれる散水孔４４３ｃ，４４３ｄから吐出される。
【００７５】
本実施形態では、急減速壁４４４ａ，４４４ｂによって堰き止められる気泡混入水の水量よりも、急減速壁４４４ａ，４４４ｂによって堰き止められない気泡混入水の水量の方が多くなるように構成されている。
【００７６】
このように構成することで、下流側に設けられている下流側孔群（散水孔４４３ｃ，４４３ｄ）側に、急減速壁４４４ａ，４４４ｂによって堰き止められない気泡混入水を多く供給することができる。従って、下流側孔群に含まれる散水孔４４３ｃ，４４３ｄから吐出される気泡混入水の供給不足を引き起こすことなく、上流側孔群に含まれる散水孔４４３ａ，４４３ｂからも下流側孔群に含まれる散水孔４４３ｃ，４４３ｄからも均一な気泡径の気泡混入水を吐出することができる。
【００７７】
また本実施形態では、対応する急減速壁が形成されていない散水孔４４３ｃ，４４３ｄが、対応する急減速壁４４４ａ，４４４ｂが形成されている散水孔４４３ａ，４４３ｂよりも、絞り部４２から遠くに配置されている。下流側孔群に対応する急減速手段としての急減速壁の数は０であって、上流側孔群に対応する急減速手段である急減速壁４４４ａ，４４４ｂの数よりも少ない。換言すれば、対応する急減速壁によって堰き止められる水量が相対的に少ない（急減速壁によって堰き止められる水量が０の）散水孔４４３ｃ，４４３ｄが、対応する急減速壁４４４ａ，４４４ｂによって堰き止められる水量が相対的に多い散水孔４４３ａ，４４３ｂよりも、絞り部４２から遠くに配置されている。
【００７８】
上述したように、上流側孔群は絞り部４２に近い上流側に形成されているため、上流側孔群を通過する気泡混入水は高い流速の水流となっている。しかしながら、上流側孔群を通過する過程において、気泡混入水の流速は徐々に低下する。また、下流側孔群を通過する過程においては、更に気泡混入水の流速が低下する。そこで、絞り部４２から遠くに配置されている散水孔４４３ｃ，４４３ｄに対応する急減速壁を形成しないことで、気泡混入水を堰き止める水量が相対的に少なくなるように形成し、過度な減速による気泡衝突を確実に回避している。
【００７９】
続いて、散水孔４４３ａ，４４３ｂと急減速壁４４４ａ，４４４ｂとの配置関係について、図７を参照しながら説明する。図７は、散水孔４４３ａと急減速壁４４４ａとの配置関係を示す図である。散水孔４４３ａと急減速壁４４４ａとの配置関係と、散水孔４４３ｂと急減速壁４４４ｂとの配置関係とは同様であるので、散水孔４４３ａと急減速壁４４４ａとの配置関係についてのみ説明する。
【００８０】
図７に示すように、急減速壁４４４ａは、散水孔４４３ａの下流側において散水孔４４３ａの近傍に立設形成されている。急減速壁４４４ａは、散水孔４４３ａの略半周に対応するように形成されており、半円の弧を描くように曲面壁として形成されている。
【００８１】
このように形成することで、急減速壁４４４ａは、絞り部４２から噴射された水によって形成される気泡混入水の一部のみを確実に堰き止め、散水孔４４３ａに向うように方向付けている。堰き止めた気泡混入水を上流側孔群に含まれる散水孔４４３ａに向かうように方向付けるので、堰き止めた気泡混入水が急減速壁４４４ａの外側に向かうことを確実に抑制している。そのため、急減速壁４４４ａの近傍を通る気泡混入水の流れを乱すことなく、上流側孔群に含まれる散水孔４４３ａに向かうべき気泡混入水を確実に誘導することができる。
【００８２】
本実施形態では、急減速壁４４４ａによって堰き止められる気泡混入水の瞬間水量と、その急減速壁４４４ａが対応する散水孔４４３ａから吐出される気泡混入水の瞬間水量とが略同等になるように構成されている。このように構成することで、急減速手段によって堰き止められる気泡混入水は滞留することなく順次散水孔４４３ａから吐出される。
【００８３】
図７に示す本実施形態では、散水孔４４３ａからやや離隔させて急減速壁４４４ａが形成されているけれども、急減速壁４４４ａを散水孔４４３ａの極めて近くに形成することも好ましい。その好ましい例の一つを図８に示す。図８は、散水孔４４３ａと急減速壁４４４ａとの配置関係の別例である、散水孔４４３ａと急減速壁４４４ａａとの関係を示す図である。
【００８４】
図８に示すように、急減速壁４４４ａａは、散水孔４４３ａの外周に沿って設けられており、散水孔４４３ａとの間には側壁４４ｃ（図２参照）が介在しないように構成されている。
【００８５】
このように、急減速壁４４４ａａを散水孔４４３ａそれぞれの外周にそって個別に設けることで、急減速壁４４４ａａと散水孔４４３ａとの間に気泡混入水の吐出を阻害するような壁面の形成を回避することができる。従って、急減速壁４４４ａａによって堰き止められ散水穴４４３ａに方向付けられた気泡混入水が、急減速壁４４４ａａと散水孔４４３ａとの間に滞留することなく、直ちに散水孔４４３ａから吐出される。
【００８６】
また本本実施形態では、図７に示したように、急減速壁４４４ａは、堰き止めて散水孔４４３ａに方向付ける気泡混入水の近傍を通る気泡混入水が、渦を発生せずに後方に回り込むように形成されている。この観点からの急減速壁４４４ａの変形例である急減速壁４４４ａｂを図９に示す。
【００８７】
図９に示す急減速壁４４４ａｂは、散水孔４４３ａの離隔した２点における各接線方向に沿って形成した壁を滑らかに繋いだものであり、先端が丸くなったＶ字状の壁として構成されている。
【００８８】
図７及び図９に示したように、急減速壁４４４ａ，４４４ａｂによって堰き止められる気泡混入水の近傍を通って下流側に流れる気泡混入水に渦を発生させないように構成しているので、下流側に流れる気泡混入水も上流側を流れる気泡混入水と同様に、流れが乱れることなく散水孔４４３ｂ〜４４３ｄに到達する。従って、上流側孔群に含まれる散水孔４４３ａ，４４３ｂからも下流側孔群に含まれる散水孔４４３ｃ，４４３ｄからも均一な気泡径の気泡混入水を吐出することができる。
【００８９】
上述したように本実施形態に係るシャワー装置Ｆ３では、散水部４４に、上流側孔群に含まれる複数の散水孔４４３ａ，４４３ｂの近傍に、空気混入部４３から供給される気泡混入水の一部のみを急激に減速させるための急減速壁４４４ａ，４４４ｂが、複数の散水孔４４３ａ，４４３ｂそれぞれに個別に対応するように設けられている。急減速壁４４４ａ，４４４ｂは、空気混入部４３から供給される気泡混入水の一部の流れを堰き止め、その堰き止めた気泡混入水が、上流側孔群に含まれる散水孔４４３ａ，４４３ｂに向かうように方向付けるものである。
【００９０】
このように本実施形態では、絞り部４２を通って噴射された水が気液界面に突入することによって生成され、散水部４４側に進行する気泡混入水の一部を急減速壁４４４ａ，４４４ｂで急激に減速するものとしている。具体的には、急減速壁４４４ａ，４４４ｂは、上流側孔群に含まれる複数の散水孔４４３ａ，４４３ｂの近傍に、複数の散水孔４４３ａ，４４３ｂそれぞれに個別に対応するように設けられている。
【００９１】
急減速壁４４４ａ，４４４ｂは、空気混入部４３から供給される気泡混入水の一部の流れを堰き止め、その堰き止めた気泡混入水が、上流側孔群に含まれる散水孔４４３ａ，４４３ｂに向かうように方向付けるものである。このような急減速壁４４４ａ，４４４ｂを個々の散水孔４４３ａ，４４３ｂに対応させて設けることで、上流側孔群を絞り部４２の近くに設けた場合であっても、散水孔４４３ａ，４４３ｂ方向に進行する気泡混入水を確実に散水孔４４３ａ，４４３ｂに導くことができる。
【００９２】
このように、急減速壁４４４ａ，４４４ｂによって、空気混入部４３から供給される気泡混入水の一部の流れを堰き止めるので、空気混入部４３から供給される気泡混入水の残部の流れは堰き止めることなく、下流側へ流れる。従って、下流側に配置されている下流側孔群に含まれる散水孔４４３ｃ，４４３ｄにも、流れが乱れていない気泡混入水を供給することができる。
【００９３】
従って、図１及び図６に示すように、シャワー装置Ｆ３の本体４の下面４ｂに、散水孔４４３（散水孔４４３ａ，４４３ｂ，４４３ｃ，４４３ｄ）を満遍なく形成することができ、シャワー吐水の中抜け感が生じないようなシャワー装置Ｆ３を提供することができる。
【００９４】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００９５】
Ｆ３：シャワー装置
４：本体
４Ａ：キャビティ
４Ａａ：当接面
４Ａｂ：凹部
４Ａｃ：貫通穴
４Ｂ：シャワープレート
４Ｂａ：当接面
４Ｂｂ：貫通穴
４Ｂｃ：凹部
４Ｃ：プレート
４Ｃａ：貫通穴
４Ｄ：水噴射コマ
４Ｄａ：フランジ
４Ｄｂ：噴射突起部
４Ｄｃ：空洞
４Ｅ：空気導入コマ
４Ｅａ：貫通穴
４ａ：上面
４ｂ：下面
４１：給水部
４１ｄ：給水口
４２：絞り部
４３：空気混入部
４３ｂ：側壁
４３ｄ：側壁
４３ｇ：段差部
４４：散水部
４４ａ：側壁
４４ｂ：側壁
４４ｃ：側壁
４２１：絞り流路
４３１：開口
４４３：散水孔
ＢＷ４：噴射水仮想直線
４４３ａ：散水孔
４４３ｂ：散水孔
４４３ｃ：散水孔
４４３ｄ：散水孔
４４４ａ：急減速壁
４４４ａａ：急減速壁
４４４ａｂ：急減速壁
４４４ｂ：急減速壁
ＢＷ５：噴射水仮想直線
ＢＷ６：噴射水仮想直線
Ｌ１：配置円
Ｌ２：配置円
Ｌ３：配置円
Ｌ４：配置円
【図１】
0005641344.tif 000002
【図２】
0005641344.tif 000003
【図３】
0005641344.tif 000004
【図４】
0005641344.tif 000005
【図５】
0005641344.tif 000006
【図６】
0005641344.tif 000007
【図７】
0005641344.tif 000008
【図８】
0005641344.tif 000009
【図９】
0005641344.tif 000010